(57)【特許請求の範囲】
【請求項１】
基端部および先端部を有するシェルと、
基端部および先端部を有するチャネルであって、前記チャネルの前記基端部が前記シェルの前記基端部に位置し、前記チャネルの前記先端部が前記シェルの前記先端部の近くに位置するように、前記シェルに結合され、灌注導管を有するチャネルと、
センサハウジングを通って延在する灌注路を備えたセンサハウジングであって、前記センサハウジングの一端にシールインタフェースを備え、前記センサハウジングの前記シールインタフェース端部が、前記チャネルの前記灌注導管が前記センサハウジングの前記灌注路に流体結合されるように、前記チャネルの前記基端部に結合されている、センサハウジングと、
圧力センサを備える圧力センサアセンブリであって、前記圧力センサが、前記センサハウジングの前記灌注路内の流体圧力を測定する、圧力センサアセンブリと、
前記センサハウジングと前記シェルの前記基端部とに結合された基端側部材であって、中空内部を有する基端側部材と、
を備える水晶体超音波乳化吸引術用ハンドピース。
【請求項２】
前記センサハウジングが、前記圧力センサを受け入れる空洞をさらに備える、請求項１に記載の水晶体超音波乳化吸引術用ハンドピース。
【請求項３】
前記圧力センサが前記空洞内に位置する、請求項２に記載の水晶体超音波乳化吸引術用ハンドピース。
【請求項４】
前記圧力センサが前記空洞を流体封止する、請求項３に記載の水晶体超音波乳化吸引術用ハンドピース。
【請求項５】
前記圧力センサアセンブリが、
フレキシブル回路と、
前記フレキシブル回路に結合された回路構成要素と、
前記フレキシブル回路に結合されたワイヤ端子と、
をさらに備え、
前記圧力センサが前記フレキシブル回路に結合されている、請求項３に記載の水晶体超音波乳化吸引術用ハンドピース。
【請求項６】
前記圧力センサアセンブリは前記基端側部材の前記中空内部に少なくとも部分的に位置する、請求項１に記載の水晶体超音波乳化吸引術用ハンドピース。
【請求項７】
前記センサハウジングが、灌注コネクタをさらに備える、請求項１に記載の水晶体超音波乳化吸引術用ハンドピース。
【請求項８】
前記センサハウジングの前記シールインタフェースに位置するシールをさらに備える、請求項１に記載の水晶体超音波乳化吸引術用ハンドピース。
【請求項９】
基端部および先端部を有するシェルと、
基端部および先端部を有するチャネルであって、前記チャネルの前記基端部が前記シェルの前記基端部に位置し、前記チャネルの前記先端部が前記シェルの前記先端部の近くに位置するように、前記シェルに結合され、灌注導管を有するチャネルと、
センサハウジングを通って延在する灌注路を備えたセンサハウジングであって、前記センサハウジングの一端にシールインタフェースを備え、前記センサハウジングの前記シールインタフェース端部が、前記チャネルの前記灌注導管が前記センサハウジングの前記灌注路に流体結合されるように、前記チャネルの前記基端部に結合され、前記センサハウジングが空洞をさらに備える、センサハウジングと、
フレキシブル回路、前記フレキシブル回路に結合された圧力センサを備える圧力センサアセンブリであって、前記圧力センサが前記センサハウジングの空洞内に位置し、前記圧力センサが前記灌注路内の流体圧力を測定する、圧力センサアセンブリと、
前記センサハウジングと前記シェルの前記基端部とに結合された基端側部材であって、中空内部を有する基端側部材と、
を備える水晶体超音波乳化吸引術用ハンドピース。
【請求項１０】
前記圧力センサが、前記空洞を流体封止する、請求項９に記載の水晶体超音波乳化吸引術用ハンドピース。
【請求項１１】
前記圧力センサアセンブリが、
前記フレキシブル回路に結合された回路構成要素と、
前記フレキシブル回路に結合されたワイヤ端子と、
をさらに備える、請求項９に記載の水晶体超音波乳化吸引術用ハンドピース。
【請求項１２】
前記圧力センサアセンブリが、前記基端側部材の前記中空内部に少なくとも部分的に位置する請求項９に記載の水晶体超音波乳化吸引術用ハンドピース。
【請求項１３】
前記センサハウジングが、灌注コネクタをさらに備える、請求項９に記載の水晶体超音波乳化吸引術用ハンドピース。
【請求項１４】
前記センサハウジングの前記シールインタフェースに位置するシールをさらに備える、請求項９に記載の水晶体超音波乳化吸引術用ハンドピース。
【請求項１５】
前記基端側部材に結合されかつ前記基端側部材の前記中空内部を封止するエンドキャップをさらに備える、請求項９に記載の水晶体超音波乳化吸引術用ハンドピース。
【請求項１６】
前記シェルの前記先端部に位置するノーズコーンをさらに備える、請求項９に記載の水晶体超音波乳化吸引術用ハンドピース。
【請求項１７】
前記チャネルの前記先端部が、前記ノーズコーンで終端する、請求項１６に記載の水晶体超音波乳化吸引術用ハンドピース。
【発明の詳細な説明】
【技術分野】
【０００１】
本発明は、概して、眼科手術の分野に関し、より詳細には、水晶体超音波乳化吸引術用の超音波ハンドピースに関する。
【背景技術】
【０００２】
ヒトの眼は、最も簡単に言えば、角膜と呼ばれる透明な外側部分を通して光を透過させ、水晶体によって網膜上に像を結ぶことにより、視力を提供するように機能する。結ばれた像の品質は、眼球のサイズおよび形状、ならびに角膜および水晶体の透明度を含む多くの要素によって決まる。
【０００３】
年齢または疾患により、水晶体の透明度が低下すると、網膜まで透過させることができる光が減少するために、視力が低下する。こうした眼の水晶体の欠陥は、医学的に白内障として知られる。この状態に対して一般に容認された治療は、水晶体を外科的に除去し、水晶体機能を人工眼内レンズ（ＩＯＬ）に置き換えることである。
【０００４】
米国では、白内障の水晶体の大部分は、水晶体超音波乳化吸引術と呼ばれる外科的技法によって除去される。この処置の間、罹患した水晶体内に細い水晶体超音波乳化吸引術切断針を挿入し、超音波で振動させる。振動する切断針により水晶体が液化するかまたは乳化し、それにより、水晶体を眼の外に吸引することができる。罹患した水晶体は、除去されると、人工眼内レンズに置き換えられる。
【０００５】
眼科処置に対して好適な、典型的な超音波手術装置は、超音波駆動ハンドピース、取り付けられた切断針、灌注スリーブおよび電子制御卓からなる。ハンドピースアセンブリは、電気ケーブルおよび可撓管によって制御卓に取り付けられる。制御卓は、電気ケーブルを通して、取り付けられた切断針にハンドピースによって伝達される電力レベルを変化させ、可撓管は、ハンドピースアセンブリを通して眼に灌注流体を供給しかつ眼から吸引流体を引き出す。
【０００６】
ハンドピースの作動部分は、一組の圧電結晶に直接取り付けられた、中心に位置する中空共振バーまたはホーンである。結晶は、水晶体超音波乳化吸引術中にホーンおよび取り付けられた切断針の両方を駆動するために必要な、要求される超音波振動を供給し、制御卓によって制御される。結晶／ホーンアセンブリは、可撓性取付具により、ハンドピースの中空本体またはシェル内に吊り下げられる。ハンドピース本体は、その本体の先端部において縮径部分またはノーズコーンで終端する。ノーズコーンは、灌注スリーブを受け入れるように雄ねじになっている。同様に、ホーン穴は、その先端部が、切断針の雄ねじを受け入れるように雌ねじになっている。灌注スリーブはまた、ノーズコーンの雄ねじの上にねじ込まれる雌ねじ穴を有する。切断針は、灌注スリーブの開放端から所定量のみ突出するように調整される。
【０００７】
使用時、切断針および灌注スリーブの端部は、角膜または強膜における所定幅の小さい切開部に挿入される。切断針は、その長手方向軸に沿って、灌注スリーブ内で結晶駆動超音波ホーンによって超音波により振動し、それにより、選択された組織をインサイチュで乳化する。切断針の中空穴は、ホーンの穴と連通し、ホーンの穴は、ハンドピースから制御卓までの吸引ラインと連通する。制御卓内の減圧源または真空源により、眼からの乳化した組織が、切断針の開放端、切断針およびホーン穴ならびに吸引ラインを通って、収集装置内に引き込まれるかまたは吸引される。乳化組織の吸引は、灌注スリーブの内面と切断針との間の小さい環状間隙を通して手術部位に注入される、生理食塩水または灌注液によって促進される。
【発明の概要】
【発明が解決しようとする課題】
【０００８】
手術中、制御卓は、灌注および／または吸引を制御し、それにより、眼内の圧力が決まる。眼から流体を吸引し過ぎると、圧力が低下し、前房が浅くなるかまたはつぶれることになる可能性がある。通常、眼内の圧力は、灌注ラインおよび／または吸引ラインにおける圧力を測定することによってモニタリングされる。灌注ラインおよび／または吸引ラインが接続される流体工学カセット内に、１つまたは複数の非侵襲的圧力センサが配置される。眼から遠くに位置するカセット内にこれらの圧力センサを配置することにより、眼内の圧力をモニタリングする際に幾分かの遅延がもたらされる。眼圧をモニタリングする際の遅延を最小限にするように、圧力センサを眼に近接して配置することが望ましい。
【課題を解決するための手段】
【０００９】
本発明の一例では、手術用ハンドピースは、シェル、チャネルおよびセンサハウジングを備える。チャネルは、基端部および先端部を有する。チャネルは、チャネルの基端部がシェルの基端部に位置し、チャネルの先端部がシェルの先端部の近くに位置するように、シェルに結合される。チャネルは、内部を貫通する灌注導管を有する。センサハウジングが、内部を通って延在する灌注路と、センサハウジングの一端におけるシールインタフェースとを有する。センサハウジングのシールインタフェース端部が、チャネルの灌注導管がセンサハウジングの灌注路に流体結合されるように、チャネルの基端部に結合される。センサハウジングは、圧力センサを受け入れる空洞をさらに備える。圧力センサアセンブリは、空洞内に位置し、空洞を流体封止する。圧力センサは、センサハウジングの灌注路内の流体圧力を測定する。圧力センサアセンブリは、フレキシブル回路（フレックス回路）と、フレキシブル回路に結合された回路構成要素と、フレキシブル回路に結合されたワイヤ端子とをさらに備える。圧力センサは、フレキシブル回路に結合される。プラグボルト溶接部が、センサハウジングとシェルの基端部とに結合される。プラグボルト溶接部は、中空内部を有する。圧力センサアセンブリは、プラグボルト溶接部の中空内部に少なくとも部分的に位置する。センサハウジングは、灌注コネクタも備えることができる。センサハウジングのシールインタフェースにシールが位置する。
【００１０】
本発明の別の例では、手術用ハンドピースは、シェル、チャネルおよびセンサハウジングを備える。チャネルは、基端部および先端部を有する。チャネルは、チャネルの基端部がシェルの基端部に位置し、チャネルの先端部がシェルの先端部の近くに位置するように、シェルに結合される。チャネルは、内部を貫通する灌注導管を有する。センサハウジングが、内部を通って延在する灌注路と、センサハウジングの一端におけるシールインタフェースとを有する。センサハウジングのシールインタフェース端部は、チャネルの灌注導管がセンサハウジングの灌注路に流体結合されるように、チャネルの基端部に結合される。圧力センサアセンブリが、フレキシブル回路と、フレキシブル回路に結合された圧力センサとを備える。圧力センサは、センサハウジング内に位置し、灌注路内の流体圧力を測定する。圧力センサは、空洞を流体封止する。圧力センサアセンブリは、フレキシブル回路に結合された回路構成要素と、フレキシブル回路に結合されたワイヤ端子とをさらに備える。中空内部を備えたプラグボルト溶接部が、センサハウジングとシェルの基端部とに結合される。圧力センサアセンブリは、プラグボルト溶接部の中空内部に少なくとも部分的に位置する。センサハウジングは、灌注コネクタをさらに備える。センサハウジングのシールインタフェースにシールが位置する。エンドキャップが、プラグボルト溶接部に結合され、プラグボルト溶接部の中空内部を封止する。ノーズコーンが、シェルの先端部に位置し、チャネルは、ノーズコーンで終端する。
【００１１】
上述した全体的な説明および以下の詳細な説明は、単に例示的でありかつ説明のためのものであり、請求項に係る本発明をさらに説明するように意図されている。以下の説明は、本発明の実施とともに、本発明のさらなる利点および目的を示しかつ示唆するものである。
【００１２】
本明細書に組み込まれかつその一部を構成する添付図面は、本発明のいくつかの実施形態を例示し、説明と合わせて、本発明の原理を説明する役割を果たす。
【図面の簡単な説明】
【００１３】
【図１】手術用ハンドピースシステムのブロック図である。
【図２】手術用ハンドピースの斜視図である。
【図３】手術用ハンドピースの一部の側面図である。
【図４】手術用ハンドピースのチャネル部分の斜視図である。
【図５】手術用ハンドピースの組立分解図である。
【図６】手術用ハンドピース用のセンサハウジングの斜視図である。
【図７】手術用ハンドピース用のセンサハウジングの断面図である。
【図８】手術用ハンドピース用のセンサアセンブリの斜視図である。
【発明を実施するための形態】
【００１４】
ここで、本発明の例示的な実施形態について詳細に参照し、その例を添付図面に示す。可能な場合はいつでも、図面を通して、同じかまたは同様の部分について言及するために同じ参照番号を使用する。
【００１５】
図１は、超音波ハンドピースシステムを示す。図１において、ハンドピース１００は、制御卓１４０に結合されている。制御卓１４０は、フットスイッチ１５０に結合されている。ハンドピース１００は、切断針１１０、ホーン１２０、一組の圧電結晶１３０、および圧電結晶１３０をホーン１２０に固定するナット１３５を有する。針インタフェース１１５が、切断針１１０をホーン１２０の縮径部分１２５に接続する。
【００１６】
針１１０は、典型的には、超音波によって振動すると水晶体を乳化するように設計されている、チタンまたはステンレス鋼製の細い針である。針１１０は、典型的には、形状が円筒状であり、約２０ゲージ〜３０ゲージの小さい直径を有し、眼の前房に挿入されたときに水晶体を除去するのに好適な長さを有している。
【００１７】
ホーン１２０は、典型的には、医療用に好適な剛性材料（チタン合金等）から作製される。ホーン１２０は、針インタフェース１１５に接続される縮径部分１２５を有する。針インタフェース１１５は、典型的には、針１１０を受け入れるねじ切り接続部を有する。このように、針１１０は、針インタフェース１１５においてホーン１２０の上にねじ込まれる。これにより、針１１０とホーン１２０との間に剛性接続が提供され、それにより、ホーン１２０から針１１０に振動を伝達することができる。
【００１８】
圧電結晶１３０は、水晶体超音波乳化吸引術中にホーン１２０および取り付けられた切断針１１０の両方を駆動する超音波振動を供給する。圧電結晶１３０は、ナット１３５によってホーン１２０に対して固定される。圧電結晶１３０は、典型的には、複数の結晶セグメントから構成される。圧電結晶１３０は、制御卓１４０からの信号によって励起されると、共振して、ホーン１２０において振動を生成する。
【００１９】
制御卓１４０は、圧電結晶１３０を駆動する信号を生成する信号発生器を含む。制御卓１４０は、信号発生器を制御するために好適なマイクロプロセッサ、マイクロコントローラ、コンピュータまたはデジタルロジックコントローラを有する。動作時、制御卓１４０は、圧電結晶１３０を駆動する信号を生成する。圧電結晶１３０は、励起されると、ホーン１２０を振動させる。ホーン１２０に接続された針１１０もまた振動する。針１１０は、眼の前房内に挿入され振動すると、白内障の水晶体を乳化するように作用する。
【００２０】
図２は、手術用ハンドピースの斜視図である。図２の例では、ハンドピース２００は、基端部および先端部を備えたシェル２１０を有する。ノーズコーン２１５が、シェル２１０の先端部を占有している。シェル２１０の基端部に、基端側部材であるプラグボルト溶接部２２０が結合されている。プラグボルト溶接部２２０には、エンドキャップ２２５が結合されている。エンドキャップ２２５には、制御ケーブルコネクタ２３０が結合されている。エンドキャップ２２５を通して、吸引コネクタ２３５が突出している。シェル２１０には、チャネル２４０が結合されている。チャネル２４０は、先端部および基端部を有する。チャネル２４０の基端部に、センサハウジング２５０が結合されている。チャネル２４０の先端部は、ノーズコーン２１５でまたはその近くでシェル２１０に結合されている。センサハウジング２５０には、灌注コネクタ２５５が結合されている。
【００２１】
図３は、手術用ハンドピースの一部の側面図である。図３の例では、チャネル２４０はシェル２１０から分離されている。シェル２１０は、ハンドピースの外側部分を形成し、手術中、執刀医によって保持される。シェル２１０は、人間工学的であり、ハンドピースの容易な取扱いおよび操作を促進するような特徴を含むことができる。シェル２１０は、典型的には、ホーン１２０、ホーンの縮径部１２５、圧電結晶１３０およびナット１３５を含む、ハンドピースの他の部品を封入する。シェルは、ステンレス鋼等の任意の耐久性のある材料から作製することができる。こうした場合、チャネル１４０は、典型的には、シェル２１０に溶接される。チャネル１４０は、手術中に眼に灌注流体を運ぶ灌注経路の一部を形成する。チャネル１４０は、灌注流体を運ぶ内部灌注導管を有する。使用時、灌注流体は、チャネル２４０を通してその基端部からその先端部まで移動する。灌注流体は、開口部を通ってチャネル２４０の先端部を出る。シェル２１０の対応する開口部は、チャネル２４０の先端部の開口部と同一の広がりを有する。このように、灌注流体は、チャネル２４０を通ってシェル２１０内に移動する。そこから、灌注流体は、シェル２１０内の通路（典型的には、シェル２１０の内面とホーン１２０の先端部またはホーン１２０の縮径部１２５との間）を通過する。そして、灌注流体は、シェル２１０の先端部から出て、針１１０を包囲するスリーブを介して眼に運ばれる。
【００２２】
図４は、手術用ハンドピースのチャネル部分の斜視図である。図４では、チャネル２４０の基端部に灌注導管４１０が示されている。灌注導管４１０は、チャネル２４０の長さを通して延在し、チャネル２４０の先端部またはその近くの開口部で終端する。
【００２３】
図５は、手術用ハンドピースの組立分解図である。図５の例では、ハンドピース２００は、基端部および先端部を備えたシェル２１０を有する。ノーズコーン２１５が、シェル２１０の先端部を占有している。シェル２１０の基端部にプラグボルト溶接部２２０が結合されている。プラグボルト溶接部２２０は中空内部を有する。プラグボルト溶接部２２０から、吸引導管５１０が延在している。プラグボルト溶接部２２０に、エンドキャップ２２５が結合されている。エンドキャップ２２５に、制御ケーブルコネクタ２３０が結合されている。エンドキャップ２２５を通して、吸引コネクタ２３５が突出している。シェル２１０に、チャネル２４０が結合されている。チャネル２４０は、先端部および基端部を有する。灌注導管４１０が、チャネル２４０の基端部からその先端部まで延在している。チャネル２４０の基端部に、センサハウジング２５０が結合されている。チャネル２４０の基端部とセンサハウジング２５０との間に、シール５２０が位置している。チャネル２４０の先端部は、ノーズコーン２１５でまたはその近くでシェル２１０に結合されている。センサハウジング２５０に、灌注コネクタ２５５が結合されている。センサアセンブリ５５０が、センサハウジング２５０内に嵌まっている。
【００２４】
図５において、センサハウジング２５０は、センサアセンブリ５５０用の安全な位置を提供する。センサハウジング２５０は、プラグボルト溶接部２２０に確実に結合される。センサアセンブリ５５０は、センサハウジング５５０内に位置する。組み立てられるとき、エンドキャップ２２５は、プラグボルト溶接部２２０に固定される。プラグボルト溶接部２２０は、シェル２１０の基端部に固定される。シール５２０は、センサハウジング２５０とチャネル２４０との間の液密シールを提供する。プラグボルト溶接部２２０は、センサアセンブリ５５０に対するワイヤ接続用の空間を提供する中空内部を有する。プラグボルト溶接部２２０の中空内部内に、センサアセンブリ５５０のいくつかの部分を配置することができる。
【００２５】
センサアセンブリ５５０は、センサハウジング２５０を通って移動している灌注流体の圧力を測定する。灌注流体は、灌注源（典型的には、ボトルまたはバッグ）から可撓管を通ってハンドピース２００まで移動する。可撓管の一端は、灌注源に結合され、可撓管の他端は、灌注コネクタ２５５においてハンドピース２００に結合される。この場合、灌注コネクタ２５５は、ルアーロックコネクタであるが、多数の他のタイプのコネクタを採用することができる。灌注流体は、灌注コネクタ２５５においてハンドピース２００に入り、センサハウジング２５０の通路を通って移動する。そして、灌注流体は、チャネル２４０の灌注導管４１０を通ってノーズコーン２１５においてまたはその近くでシェル２１０に入るように移動する。灌注流体は、ノーズコーン２１５の通路を通り続け、ノーズコーン２１５の端部においてシェル２１０から出る。そして、灌注流体は、ノーズコーン２１５の端部に結合されるスリーブ（図示せず）を通って眼まで運ばれる。このように、手術中に眼内に灌注流体を導入するための連続した通路が設けられる。この連続流路は、ハンドピース２００の長さ全体を貫通する。センサアセンブリ５５０が、眼に非常に近い箇所で灌注流路に沿って位置するため、センサアセンブリ５５０は、眼内の圧力をより正確に測定する。典型的には、ハンドピース２１０は、約４インチ〜６インチの長さである。したがって、圧力センサアセンブリ５５０は、眼から約４インチ〜６インチで流体の圧力を測定する。
【００２６】
現時点で利用可能な手術システムでは、圧力センサは、眼からはるかに離れた距離に位置する。たとえば、通常の白内障システムでは、灌注圧力センサは、手術制御卓に位置する。１本の長い可撓管が、制御卓をハンドピースに接続し、灌注流体を運ぶ。さらに、この可撓管は、通常、ある程度のコンプライアンスを備えるポリマーから作製される。このように、圧力センサは、可撓管の一端に位置する。可撓管の他端は、ハンドピースに接続される。圧力センサと眼との間に位置する可撓管が長いため、圧力センサは、眼内の圧力を正確に測定しない。理解することができるように、眼内の圧力のより正確な読取により、手術中の流体力学の制御がより適切なものとなる。ハンドピース２００にセンサアセンブリ５５０を配置することにより、眼圧のより正確な読取が可能になる。
【００２７】
再び図５の例を参照すると、プラグボルト溶接部は、センサハウジング２５０の一部およびセンサアセンブリ５５０を収容する空間を提供する。図８を参照してより理解されるように、センサアセンブリ５５０から制御ケーブルコネクタ２３０のケーブルまで圧力読取値を提供するために、プラグボルト溶接部２２０に配線を配置することができる。
【００２８】
図６は、手術用ハンドピース用のセンサハウジングの斜視図である。図６の例では、センサハウジング２５０は、灌注コネクタ２５５、シールインタフェース６１０および溝６２０を含む。灌注コネクタ２５５は、灌注流体を運ぶ１本の可撓管の一端を受け入れる。シールインタフェースは、シール５２０を受け入れる凹部を有する。この場合、シール５２０は、その最も単純な形態では、センサハウジング２５０とチャネル２４０との間に流体密封シールを提供するワッシャである。センサハウジング２５０は、溝６２０においてプラグボルト溶接部２２０に結合される。この例では、センサハウジング２５０は、プラグボルト溶接部２２０の切欠きに滑り込む。溝６２０は、プラグボルト溶接部２２０のスロットと係合する。
【００２９】
図７は、手術用ハンドピース用のセンサハウジングの断面図である。図７の例では、センサハウジング２５０は、灌注コネクタ２５５と、シールインタフェース６１０と、圧力センサアセンブリ５５０（より詳細には、圧力センサ８１０）を受け入れる空洞７１０とを含む。図７では、灌注流体路７２０を破線によって示す。灌注流体路７２０は、センサハウジング２５０を通って、灌注コネクタ２５５がある端部からシールインタフェースがある端部まで延在する。このように、灌注流体路７２０は、灌注流体がセンサハウジング２５０を通過することができる連続通路を提供する。空洞７１０は、灌注流体路７２０と流体連通している。このように、空洞７１０内に位置する圧力センサは、灌注流体路７２０内の流体の圧力を測定することができる。
【００３０】
図８は、手術用ハンドピース用のセンサアセンブリの斜視図である。図８の例では、センサアセンブリ５５０は、圧力センサ８１０、フレキシブル回路８２０、回路構成要素８３０およびワイヤ端子８４０を含む。圧力センサ８１０、回路構成要素８３０およびワイヤ端子８４０は、すべて、フレキシブル回路８２０に実装されている。圧力センサ８１０は、センサハウジング２５０の空洞７１０に嵌まるようなサイズおよび形状である。このように、空洞７１０は、圧力センサ８１０を収容するようなサイズおよび形状である。圧力センサ８１０は、空洞７１０内に嵌まり、流体密封シールを提供する。この流体密封シールを提供するために、圧力センサ８１０をポリマーで密封することができる。組み立てられるとき、フレキシブル回路８２０はプラグボルト溶接部２２０内に位置する。ワイヤ端子８４０に結合されたワイヤもまた、プラグボルト溶接部２２０内に位置し、ケーブルコネクタ２３０を制御するように延在することができる。
【００３１】
上述したことから、本発明は、白内障手術用の改善された手術用ハンドピースを提供することを理解することができる。本発明は、手術中の改善された圧力測定のための一体型圧力センサを備えたハンドピースを提供する。本明細書では、本発明は例として示され、当業者によってさまざまな変更を行うことができる。本発明の他の実施形態は、本明細書を考慮し、本明細書に開示する発明を実施することにより、当業者には明らかとなろう。明細書および例は単に例示的なものとしてみなされるように意図されており、本発明の真の範囲および趣旨は、以下の特許請求の範囲によって示される。
【図１】
0006797804.tif 000002
【図２】
0006797804.tif 000003
【図３】
0006797804.tif 000004
【図４】
0006797804.tif 000005
【図５】
0006797804.tif 000006
【図６】
0006797804.tif 000007
【図７】
0006797804.tif 000008
【図８】
0006797804.tif 000009